(57)【要約】 【課題】飲みほした缶、ペットボトルを圧縮する際に使用する圧縮機として、肉体的苦痛が少なく簡単にかつ安全に作業ができる圧縮機を提供する。【解決手段】手すりと一体化した支持台１の下面に補助支持台２を装着し補助支持台は支点Aにより回転し、収納できるようになっている。支持台１と足踏みペダル３は、平行リンク４により接合されており、足踏みペダル３を上下することにより、平行リンク４の先端部に装着された、圧縮板５と足踏みペダル３の下部に溶接された突起物３Aが平行に上下することで、空缶、ペットボトルの圧縮を行う。足踏みペダル３は、支点Bにより収納が行える機能を備えた空缶、ペットボトル圧縮工具とする。【選択図】    図１
2011104645.tif 000002
【特許請求の範囲】
【請求項１】
支持台の基礎下面に、空缶又はペットボトルを設置し支持台に平行リンクを装着し、圧縮板、足踏みレバーと連結させ平行に上下動ができるようになっている。又、支持台上部は手すりとなっている。支持台の下部には、補助支持台が装着されていて、支点を介して収納できるようになっている。足踏みペダル下部には、突起物を溶接にて装着し支点を介して収納できるようになることを特徴とした空缶、ペットボトル圧縮工具。
【発明の詳細な説明】
【技術分野】
【０００１】
本発明は、空になった缶、及びペットボトルを圧縮する為に適用される空缶及びペットボトル圧縮工具に関する。
【背景技術】
【０００２】
家庭等から、排出される空缶及びペットボトルは大半がそのままの状態で、集積場所に持ち込まれてそのままの状態で、集積業者等が運搬を行っている。その結果、容積がかさばりトラック等による運搬回数等が増え自動車排出ガス増大による地球温暖化の一つの要因となっている。
【０００３】
従来、足で直接踏み潰すことにより圧縮を行っていた。
【発明の概要】
【発明が解決しようとする課題】
【０００４】
家庭等から、排出される空缶及びペットボトルを減容化することにより、トラック等の運搬回数を減らし自動車排出ガスを削減することにより、地球温暖化防止に役立つことができる。
【０００５】
しかし、上記のような方法では身体が安定しない為、身体のバランスを崩し、怪我の恐れもある。又、場合によっては足に肉体的な苦痛を伴う。
【０００６】
本発明では、前記の状況を考慮し簡単に操作ができ、小型で軽量な構造とした圧縮機を提供することを、目的としている。
【課題を解決するための手段】
【０００７】
本発明の空缶、ペットボトル圧縮工具は、支持台に平行リンク機構を装着し、折りたたみ式の足踏みペダルと連結させ、上下動ができるようになっている。
平行リンクの先端部には圧縮用の板を装着し足踏みペダルの下面には、突起物を溶接にて装着してあり足踏みペダルと、補助支持台は格納できるようなっている。支持台の上部には、手すりをそなえていることを特徴とするものである。
【発明の効果】
【０００８】
本発明は、以上に説明したように平行リンク、足踏みペダル、圧縮用板、補助支持台、手すりを備えているので以下に記載するような効果がある。
【０００９】
収納されていた補助支持台、脚踏みペダルを倒して作業状態にセットします。
【００１０】
空缶を圧縮する時、空缶を支持台の下部に穴位置に合わせて立てたままの状態で置く。又は、ガイドに沿って横にした状態に置く。
【００１１】
上部の手すりを手でつかんだ状態にて、足踏みペダルを足で下へ押すことにより、リンクに取り付けられた圧縮用板が、空缶の上部部分を押すことにより、空缶はリンク機構により、少ない労力で圧縮することができ、手すりを使用することにより、安全に行うことができる。
【００１２】
次にペットボトルの場合は、支持台の下部にペットボトルを横にして先端部分をガイドにそわせた状態に置く。後は、空缶と同様に足踏みペダルを足で下に押すことによりリンクに取り付けられた圧縮用板と足踏みペダル下部に溶接されている突起物により、圧縮することができる。
【００１３】
作業終了時には、使用した補助支持台及び足踏みペダルを折りたたむことにより、狭い場所にて保管ができる。
【００１４】
上記のように本発明の空缶、ペットボトル圧縮工具を使用することにより、比較的少ない労力で安全に圧縮作業が行うことができる。
【００１５】
この結果、空缶及びペットボトルが圧縮にて減容化されることによりトラック等による運搬回数を減らすことが可能となり、自動車排出ガスを軽減することができる。
【図面の簡単な説明】
【００１６】
【図１】本発明の空缶、ペットボトル圧縮工具の圧縮作業をする前の図である。
【図２】本発明の空缶、ペットボトル圧縮工具の使用後に収納した時の図である。
【図３】本発明の空缶、ペットボトル圧縮工具にペットボトルを置いた時の圧縮前の図である。
【図４】本発明の空缶、ペットボトル圧縮工具にペットボトルを置いて圧縮後の図である。
【図５】本発明の空缶、ペットボトル圧縮工具に空缶を置いた時の圧縮前の図である。
【図６】本発明の空缶、ペットボトル圧縮工具に空缶を置いて圧縮後の図である。
【発明を実施するための形態】
【００１７】
発明の実施の形態を図１乃至図６により詳細に説明する。
本発明の空缶、ペットボトル圧縮工具は、図１に示す例では支持台１の下面に、補助支持台２を装着し、支持台１の側面には足踏みペダル３が上下動を行えるように、平行リンク４が装着されその先端部には圧縮用板５から構成されたものである。
【００１８】
前記の支持台１は、金属パイプを溶接にて組み立てた構造物として上部の部分１Aは、手すりとして使用できるように、下面にはガイド板１Bを溶接したものを支持台１とする。
【００１９】
前記の補助支持台２は、金属パイプを溶接にて組み立てた構造物として、上面には、ペットボトルが置けるようにペットボトル置き台２Aを設け、支点Aにて回転ができるようにしたものを補助支持台２とする。
【００２０】
前記のの平行リンク４は、支持台１と圧縮板５、足踏みペダル３とを連結させ足踏みペダル３により上下動ができるように繋ぐ。
【００２１】
前記の足踏みペダル３は、下面に突起物３Aを溶接し支点Bにて回転ができるようにしたものを足踏みペダル３とする。
【００２２】
前記の圧縮板５は、V字型に曲げた金属を溶接したものを圧縮板５とする。
【００２３】
以上の各機構を組み立てることにより足踏みペダル３の操作により、平行リンクに生じた上下動により空缶、ペットボトルを圧縮させることができる。
【実施例】
【００２４】
以下に空缶の圧縮手順を説明する。
図５、図６は空缶圧縮の際の手順図である。
空缶を支持台の下面に立てて置き、両手で手すりを握り足踏みペダルに足を乗せ、そのまま下へ押し下げることにより、圧縮することができる。
【００２５】
次に、ペットボトルの圧縮手順を説明する。
図３、図４は、ペットボトル圧縮の際の手順図である。
ペットボトルを支持台下面のガイドに沿って横に置き両手で手すりを握り足踏みペダルに足を乗せ、そのまま下へ押し下げることにより、圧縮することができる。
【符号の説明】
【００２６】
１  支持台
１A    手すり
１B    ガイド板
２  補助支持台
２A    ペットボトル置台
３  足踏みペダル
３A    突起物
４  平行リンク
５  圧縮板
A  補助支持台回転用支点
B  足踏みペダル回転用支点
【図１】
2011104645.tif 000003
【図２】
2011104645.tif 000004
【図３】
2011104645.tif 000005
【図４】
2011104645.tif 000006
【図５】
2011104645.tif 000007
【図６】
2011104645.tif 000008